(57)【要約】      （修正有）【課題】構成要素を容易に適切に固定できるディスプレイ装置を提供する。【解決手段】ディスプレイパネル１０、後ろフレーム２０、回路基板３０、および、カバーフィルム４０を有するディスプレイ装置が提供される。ディスプレイパネルは、第一基板１１と第二基板１２を有し、第一基板は上表面１１１を有する。後ろフレームは、ディスプレイパネルを支持し、外表面２１を有する。カバーフィルムは、フィルムベース４１、第一接着材４２、および、第二接着材４３を有する。フィルムベースは、第一部分４１１、第二部分４１２、および、それらの間の中間部４１３を有し、第一基板の上表面辺縁と後ろフレーム外表面の一部を被覆する。第一接着材が第一部分上に設置されて、上表面辺縁に取り付けられ、第二接着材が第二部分上に設置され、外表面に取り付けられる。中間部と外表面は、回路基板を設置する収容空間を定める。【選択図】図１
0003194674.tif 000002
【実用新案登録請求の範囲】
【請求項１】
ディスプレイ装置であって：
上表面を有する第一基板、および、第二基板を有するディスプレイパネル；
前記ディスプレイパネルを支持すると共に、外表面を含む後ろフレーム；
前記ディスプレイパネルに電気的に接続される回路基板；および
カバーフィルムであって：
第一部分、第二部分、および、前記第一部分と前記第二部分間に位置する中間部を有すると共に、前記上表面の辺縁、前記外表面の一部、および、前記回路基板を被覆するフィルムベース；
前記第一部分に設置され、前記上表面の前記辺縁に取り付けられる第一接着材；および、
前記第二部分に設置されると共に、前記外表面に取り付けられ、前記中間部と前記外表面は、収容空間を定め、前記回路基板が、前記収容空間中に設置される第二接着材；
を有する、カバーフィルム；
を有する、
ディスプレイ装置。
【請求項２】
前記中間部の接着力は、前記第一部分の接着力と異なり、前記中間部の前記接着力は、前記第二部分の接着力と異なる、
請求項１に記載のディスプレイ装置。
【請求項３】
前記中間部の接着力は、前記第一部分の接着力より低く、前記中間部の接着力は、前記第二部分の接着力より低い、
請求項１又は２に記載のディスプレイ装置。
【請求項４】
前記第一接着材の第一方向の長さは、前記第二接着材の前記第一方向の長さより長い、
請求項１乃至３のいずれか１項に記載のディスプレイ装置。
【請求項５】
前記外表面は、側面と底部側を有し、前記第二接着材が前記底部側に取り付けられる、
請求項１乃至４のいずれか１項に記載のディスプレイ装置。
【請求項６】
前記収容空間は、前記中間部と前記側面により形成される、
請求項５に記載のディスプレイ装置。
【請求項７】
前記収容空間は、前記中間部と前記底部側により形成される、
請求項５に記載のディスプレイ装置。
【請求項８】
さらに、第一ガムテープと第二ガムテープを有し、前記上表面の前記外表面と別の辺縁を被覆、および、前記上表面の前記外表面と別の辺縁を被覆に取り付けられる、
請求項１乃至７のいずれか１項に記載のディスプレイ装置。
【請求項９】
第二ガムテープの一端は前記第一ガムテープに取り付けられ、前記カバーフィルムは前記第二ガムテープの他端に取り付けられる、
請求項８に記載のディスプレイ装置。
【請求項１０】
複数のリード角度構造は、前記第一、または、第二ガムテープの一端に形成され、前記リード角度構造は前記底部側に位置する、
請求項８に記載のディスプレイ装置。
【請求項１１】
前記後ろフレームは、前記側面上に形成される複数の突起を有し、前記第一、または、第二ガムテープは、前記突起に対応する複数のノッチを有し、各ノッチの長さは、各突起の長さより長い、
請求項８乃至１０のいずれか１項に記載のディスプレイ装置。
【請求項１２】
前記上表面に取り付けられる前記カバーフィルム、前記第一ガムテープと第二ガムテープの幅は、前記底部側に取り付けられるカバーフィルム、前記第一ガムテープと第二ガムテープの幅と異なる、
請求項８乃至１１のいずれか１項に記載のディスプレイ装置。
【請求項１３】
さらに、偏光フィルムを有し、前記上表面に取り付けられる前記カバーフィルム、前記第一ガムテープと第二ガムテープの幅は、前記偏光フィルムの辺縁と前記第一基板の辺縁間の水平距離以下である、
請求項８乃至１２のいずれか１項に記載のディスプレイ装置。
【請求項１４】
接着材は前記中間部に取り付けられない、
請求項１乃至１３のいずれか１項に記載のディスプレイ装置。
【請求項１５】
前記ディスプレイパネルと前記後ろフレーム間に位置するプラスチックフレームを有し、前記第一基板と前記プラスチックフレーム間の前記カバーフィルムの幅は、前記第一基板と前記プラスチックフレーム間の距離の合計より小さく、且つ、前記第一基板の厚さの二倍である、
請求項１乃至１４のいずれか１項に記載のディスプレイ装置。
【考案の詳細な説明】
【技術分野】
【０００１】
本考案は、ディスプレイ装置に関するものであって、特に、薄型電子装置に用いられるディスプレイ装置に関するものである。
【背景技術】
【０００２】
薄型電子装置における要求を満たすため、現行のディスプレイ装置は前フレームを省略して、ガムテープにより、パネル、プラスチックフレーム、および、後ろフレームを固定する。しかし、不適切なテープの取り付けは、不均等になり、テープが外れやすくなる。また、ガムテープは回路基板に取り付けられ、再加工できなくなる。
【考案の概要】
【考案が解決しようとする課題】
【０００３】
本考案は、改善されたディスプレイ装置を提供し、確実な方法で、それらの要素を、さらに容易に、適切に固定することを目的とする。さらに、回路基板に取り付けられるテープの再加工問題を解決する。
【課題を解決するための手段】
【０００４】
上述の問題は、請求項１によるディスプレイ装置により解決される。さらに有益な実施形態は、従属クレームの主題である。
【０００５】
本考案の実施形態によるディスプレイ装置は、ディスプレイパネル、後ろフレーム、回路基板、および、カバーフィルムを有する。ディスプレイパネルは、第一基板と第二基板を有し、第一基板は上表面を有する。後ろフレームは、ディスプレイパネルを支持すると共に、外表面を有する。回路基板は、電気的に、ディスプレイパネルに接続される。カバーフィルムは、フィルムベース、第一接着材、および、第二接着材を有する。フィルムベースは、第一部分、第二部分、および、第一部分と第二部分の間の中間部を有し、フィルムベースは、上表面辺縁、外表面の一部、および、回路基板を被覆する。第一接着材が第一部分上に設置され、上表面辺縁に取り付けられる。第二接着材が第二部分上に設置されると共に、外表面に取り付けられ、中間部と外表面は収容空間を定め、回路基板が収容空間中に設置される。
【考案の効果】
【０００６】
本考案の実施形態によるディスプレイ装置を用いることにより、それらの要素が適切に固定されると共に、回路基板に取り付けられるテープの再加工問題が解決される。
【図面の簡単な説明】
【０００７】
【図１】本考案の一実施形態によるディスプレイ装置を示す図である。
【図２】本考案の実施形態のカバーフィルムの詳細な構造を示す図である。
【図３Ａ】本考案の実施形態によるディスプレイ装置の上面図である。
【図３Ｂ】本考案の実施形態によるディスプレイ装置の下面図である。
【図４】本考案の実施形態によるディスプレイ装置の拡大図である。
【図５Ａ】本考案の実施形態によるディスプレイ装置に取り付けられるガムテープを示す図である。
【図５Ｂ】本考案の実施形態によるディスプレイ装置に取り付けられるガムテープを示す図である。
【図６】本考案の実施形態のガムテープの詳細な構造を示す図である。
【図７】本考案の別の実施形態によるディスプレイ装置を示す図である。
【考案を実施するための形態】
【０００８】
図１は、本考案の一実施形態によるディスプレイ装置１を示す図で、ディスプレイパネル１０、後ろフレーム２０、回路基板３０、および、カバーフィルム４０を有する。ディスプレイパネル１０は、第一基板１１と第二基板１２を有し、第一基板１１は上表面１１１を有する。後ろフレーム２０は、ディスプレイパネル１０を支持し、外表面２１を有する。回路基板３０は、電気的に、ディスプレイパネル１０に接続される。カバーフィルム４０は、フィルムベース４１、第一接着材４２、および、第一接着材４３を有する。フィルムベース４１は、第一部分４１１、第二部分４１２、および、第一部分４１１と第二部分４１２間に位置する中間部４１３を有する。フィルムベース４１は、上表面１１１辺縁、外表面２１の一部、および、回路基板３０を被覆する。第一接着材４２が第一部分４１１上に設置されると共に、上表面１１１辺縁に取り付けられる。第一接着材４３が、第二部分４１２上に設置されると共に、外表面２１に取り付けられ、中間部４１３と外表面２１は収容空間 Rを定め、回路基板３０が、収容空間 Rの中に設置される。
【０００９】
図２は、カバーフィルム４０の詳細な構造を示す図で、第一接着材４２の第一方向Ｘの長さは、第一接着材４３の第一方向Ｘの長さより長い。第一部分４１１の第一方向Ｘの長さは、第二部分４１２の第一方向Ｘの長さより長い。中間部４１３の接着力は、第一部分４１１の接着力と異なり、中間部４１３の接着力は、第二部分４１２の接着力と異なる。本考案の実施形態において、中間部４１３に取り付けられる接着材がない。よって、中間部４１３の接着力は、第一部分４１１の接着力より弱く、中間部４１３の接着力は、第二部分４１２の接着力より弱い。
【００１０】
図３Ａと図３Ｂは、ディスプレイ装置１の上面と下面を示す図である。図１と図３Ｂを参照すると、外表面２１は、側面２１１と底部側２１２を有し、第一接着材４３が、外表面２１の底部側２１２に取り付けられる。
【００１１】
図１を参照すると、第一接着材４２は、部分的に、フィルムベース４１と上表面１１１の間を介する。第一接着材４３は、フィルムベース４１と底部側２１２間に位置する。
【００１２】
図１を参照すると、収容空間Ｒが、中間部４１３と側面２１１により形成される。リブ２１３が側面２１１上に形成され、回路基板３０がリブ２１３上に設置される。リブ２１３と回路基板３０は、収容空間Ｒの中にある。リブ２１３は、側面２１１上に一体的に形成される。
【００１３】
本考案の実施形態によるディスプレイ装置を応用すると、それらの要素は適切に固定されると共に、回路基板に取り付けられるテープの再加工問題が改善される。
【００１４】
図１を参照すると、一実施形態において、ディスプレイ装置１は、さらに、ディスプレイパネル１０と後ろフレーム２０間に位置するプラスチックフレーム５０を有する。図４を参照すると、第一基板１１とプラスチックフレーム５０間のカバーフィルム４０の幅ｄ１は、第一基板１１とプラスチックフレーム５０間の距離 d2 の合計より小さく、且つ、第一基板１１の厚さの二倍である。よって、パネル下の溶接点、または、集積回路が保護されると共に、左右側の回路も保護される。
【００１５】
図５Ａを参照すると、一実施形態において、ディスプレイ装置１は、さらに、第一ガムテープ６１と第二ガムテープ６２を有すると共に、上表面１１１の外表面２１と別の辺縁を被覆すると共に、上表面１１１の外表面２１と別の辺縁に取り付けられる。図５Ｂを参照すると、一実施形態において、第二ガムテープ６２の一端が第一ガムテープ６１に取り付けられ、カバーフィルム４０が第二ガムテープ６２の他端に取り付けられ、第二ガムテープ６２が容易に分離するのを防止する。
【００１６】
図６を参照すると、一実施形態において、複数のリード角度構造６３が、第一ガムテープ６１と第二ガムテープ６２の末端、および、カバーフィルム４０上に形成される。リード角度構造６３は、底部側２１２上に位置する。後ろフレーム２０は、さらに、側面に形成される複数の突起２２を有する。複数のノッチ６４が、突起２２に対応する第一ガムテープ６１、第二ガムテープ６２、および、カバーフィルム４０に形成される。各ノッチ６４は一長さを有し、各ノッチ６４の長さは、各突起２２の長さより長い。よって、第一と第二ガムテープの取り付けが滑らかになる。
【００１７】
一実施形態において、上表面１１１に取り付けられるカバーフィルム４０、第一ガムテープ６１と第二ガムテープ６２の幅は、底部２１２に取り付けられるカバーフィルム４０、第一ガムテープ６１と第二ガムテープ６２の幅と異なる。よって、集積回路とワイヤーは保護される、または、フレームの幅が減少する。
【００１８】
図１を参照すると、一実施形態において、ディスプレイ１は、さらに、偏光フィルム７０を有し、上表面１１１に取り付けられるカバーフィルム４０、第一ガムテープ６１と第二ガムテープ６２の幅は、偏光フィルム７０辺縁と第一基板１１の辺縁間の水平距離以下である。
【００１９】
図７は、ディスプレイ装置１の別の実施形態を示す図で、収容空間Ｒ’は、中間部４１３と底部側２１２により形成される。この実施形態において、回路基板３０は、底部側２１２上に設置される。
【００２０】
本考案では好ましい実施形態を前述の通り開示したが、これらは決して本考案に限定するものではなく、当該技術を熟知する者なら誰でも、本考案の精神と領域を脱しない範囲内で各種の変更や修正を加えることができ、従って本考案の保護範囲は、実用新案請求の範囲で指定した内容を基準とする。
【符号の説明】
【００２１】
1、1’  ディスプレイ装置
10  ディスプレイパネル
11  第一基板
111  上表面
12  第二基板
20  後ろフレーム
21  外表面
211  側面
212  底面
213  リブ
22  突起
30  回路基板
40  カバーフィルム
41  フィルムベース
411  第一部分
412  第二部分
413  中間部分
42  第一接着材
43  第二接着材
50  プラスチックフレーム
61  第一テープ
62  第二テープ
63  リード角度構造
64  ノッチ
70  偏光フィルム
R、R’  収容空間
【図１】
0003194674.tif 000003
【図２】
0003194674.tif 000004
【図３Ａ】
0003194674.tif 000005
【図３Ｂ】
0003194674.tif 000006
【図４】
0003194674.tif 000007
【図５Ａ】
0003194674.tif 000008
【図５Ｂ】
0003194674.tif 000009
【図６】
0003194674.tif 000010
【図７】
0003194674.tif 000011